(57)【要約】【課題】信頼性を向上させつつ、使い勝手の良い清潔な液滴吐出装置を提供する。【解決手段】記録媒体Ｐに液滴を吐出する液滴吐出ヘッド３２が搭載されるキャリッジ３７と、前記記録媒体Ｐが搬送される方向と交差する方向に前記キャリッジ３７を往復移動させるキャリッジ移動機構３９と、前記キャリッジ３７のキャリッジ移動領域Ｓの少なくとも一部を開放する開閉カバー６０，７０を有する外装ケース２０と、を備え、前記開閉カバー６０，７０は、閉状態において前記キャリッジ移動領域Ｓに対向する面に、所定の高さＨを有する複数のリブ６２，７５を有し、前記複数のリブ６２，７５間に、微細な液滴を吸着する吸着面８１ａが露出するように帯電部材８０が配置されていることを特徴とする液滴吐出装置１０。【選択図】図４
2015080927.tif 000002
【特許請求の範囲】
【請求項１】
記録媒体に液滴を吐出する液滴吐出ヘッドが搭載されるキャリッジと、
前記記録媒体が搬送される方向と交差する方向に前記キャリッジを往復移動させるキャリッジ移動機構と、
前記キャリッジのキャリッジ移動領域の少なくとも一部を開放する開閉カバーを有する外装ケースと、を備え、
前記開閉カバーは、
閉状態において前記キャリッジ移動領域に対向する面に、所定の高さを有する複数のリブを有し、
前記複数のリブ間に、微細な液滴を吸着する吸着面が露出するように帯電部材が配置されていることを特徴とする液滴吐出装置。
【請求項２】
前記複数のリブは、前記キャリッジ移動機構による前記キャリッジの移動方向に沿って前記開閉カバーに形成されており、
前記帯電部材は、前記複数のリブ間に配置されていることを特徴とする請求項１に記載の液滴吐出装置。
【請求項３】
前記帯電部材は、シート状を呈し、前記開閉カバーの前記キャリッジ移動領域に対向する前記面に配置され、
前記複数のリブは、シート状の前記帯電部材を覆う帯電部材カバーに形成され、
前記帯電部材カバーは、前記複数のリブ間に長方形形状の開口部を有し、前記複数のリブが前記キャリッジ移動機構による前記キャリッジの移動方向に沿う姿勢で、前記開閉カバーに着脱自在に取り付けられることを特徴とする請求項１に記載の液滴吐出装置。
【請求項４】
前記帯電部材カバーは、前記シート状の帯電部材の全面を覆う大きさであることを特徴とする請求項３に記載の液滴吐出装置。
【請求項５】
前記複数のリブと交差する方向に、前記複数のリブより低い高さの第二のリブが形成されていることを特徴とする請求項１乃至４のいずれか一項に記載の液滴吐出装置。
【請求項６】
前記帯電部材は、前記開閉カバーに対して着脱自在に取り付けられていることを特徴とする請求項１乃至５のいずれか一項に記載の液滴吐出装置。
【請求項７】
前記帯電部材は、多孔質のエレクトレット体からなる帯電フィルターであることを特徴とする請求項１乃至６のいずれか一項に記載の液滴吐出装置。
【発明の詳細な説明】
【技術分野】
【０００１】
本発明は、媒体に液体を液滴として吐出する液滴吐出ヘッドを備えた液滴吐出装置に関する。
【背景技術】
【０００２】
近年、様々な分野で液滴吐出装置が使用されている。液滴吐出装置の一つの形態として記録用紙に対してインクを吐出する液滴吐出ヘッドとしてのインクジェットヘッドを備えたインクジェット記録装置が知られている。インクジェット記録装置において、インクジェットヘッドから吐出されたインク滴（液滴）の一部がインクミスト（微小な液滴）となって筐体内を浮遊することがある。浮遊したインクミストは筐体内の部品等に付着して各種の不具合を発生させる虞がある。そのため、インクジェット記録装置では、このようなインクミスト対策として様々な方法が提案されている。例えば、特許文献１には、インクジェット記録装置内に帯電部材を設け、浮遊するインクミストを積極的に捕集する方法が開示されている。
【先行技術文献】
【特許文献】
【０００３】
【特許文献１】特開平１０−２６４４１２号公報
【発明の概要】
【発明が解決しようとする課題】
【０００４】
帯電部材は、インクミストが発生するインクジェットヘッドの移動領域に対向して設置されることが好ましい。インクジェットヘッドの移動領域に対向する場所としては、移動領域の上面を覆うケース部分が考えられる。一般に、このケース部分にはインクカートリッジの交換等のメンテナンス時に開閉される開閉カバーが設けられている。この開閉カバーに帯電部材を設置すると、インクジェットヘッドの移動領域全体を覆うことができるとともに、汚れた帯電部材の交換が容易等のメリットがある。しかしながら、開閉カバーを開けた場合に、インクミストを吸着した帯電部材が露出してしまうため、ユーザーの手や衣服等が帯電部材に触れ、汚染されてしまうとの課題があった。
【課題を解決するための手段】
【０００５】
本発明は、上述の課題の少なくとも一部を解決するためになされたものであり、以下の形態または適用例として実現することが可能である。
【０００６】
（適用例１）記録媒体に液滴を吐出する液滴吐出ヘッドが搭載されるキャリッジと、前記記録媒体が搬送される方向と交差する方向に前記キャリッジを往復移動させるキャリッジ移動機構と、前記キャリッジのキャリッジ移動領域の少なくとも一部を開放する開閉カバーを有する外装ケースと、を備え、前記開閉カバーは、閉状態において前記キャリッジ移動領域に対向する面に、所定の高さを有する複数のリブを有し、前記複数のリブ間に、微細な液滴を吸着する吸着面が露出するように帯電部材が配置されていることを特徴とする液滴吐出装置。
【０００７】
この構成によれば、液滴としてのインク滴を吐出する液滴吐出ヘッドおよび液滴吐出ヘッドを搭載するキャリッジの移動に伴い発生する気流によって舞い上がる微細な液滴であるインクミストは、開閉カバーのキャリッジ移動領域に対向する面に配置される帯電部材の吸着面に吸着される。インクミストを吸着して吸着面が汚れた帯電部材は、開閉カバーに設置される所定の高さを有する複数のリブの間に配置されている。そのため、ユーザーが開閉カバーを開けてメンテナンス等の作業を実施したとしても、ユーザーの手や衣服等が汚れた帯電部材に直接触れることを低減させることができる。その結果、ユーザーが汚染されることを防止できる。
【０００８】
（適用例２）前記複数のリブは、前記キャリッジ移動機構による前記キャリッジの移動方向に沿って前記開閉カバーに形成されており、前記帯電部材は、前記複数のリブ間に配置されていることを特徴とする上記の液滴吐出装置。
【０００９】
インク滴を吐出する液滴吐出ヘッドから発生するインクミストは、キャリッジの移動に伴う気流によって拡散することが多い。この構成によれば、帯状の帯電部材は、インクミストが拡散するキャリッジの移動方向に沿って配置されている。そのため、浮遊するインクミストを効率的に吸着（捕集）することができる。また、帯電部材は、所定の高さを有する複数のリブ間に配置されている。そのため、ユーザーが開閉カバーを開けてメンテナンス等の作業を実施したとしても、ユーザーの手や衣服等が汚れた帯電部材に直接触れることを低減させることができる。
【００１０】
（適用例３）前記帯電部材は、シート状を呈し、前記開閉カバーの前記キャリッジ移動領域に対向する前記面に配置され、前記複数のリブは、シート状の前記帯電部材を覆う帯電部材カバーに形成され、前記帯電部材カバーは、前記複数のリブ間に長方形形状の開口部を有し、前記複数のリブが前記キャリッジ移動機構による前記キャリッジの移動方向に沿う姿勢で、前記開閉カバーに着脱自在に取り付けられることを特徴とする上記の液滴吐出装置。
【００１１】
インク滴を吐出する液滴吐出ヘッドから発生するインクミストは、キャリッジの移動に伴う気流によって拡散することが多い。この構成によれば、シート状の帯電部材は、インクミストが拡散するキャリッジの移動方向に沿うように配置される複数のリブ間の長方形形状の開口部から露出する。そのため、浮遊するインクミストを効率的に吸着（捕集）することができる。また、帯電部材の吸着面は、所定の高さを有する複数のリブ間に形成される長方形形状の開口部から露出している。そのため、ユーザーが開閉カバーを開けてメンテナンス等の作業を実施したとしても、ユーザーの手や衣服等が汚れた帯電部材に直接触れることを低減させることができる。
【００１２】
（適用例４）前記帯電部材カバーは、前記シート状の帯電部材の全面を覆う大きさであることを特徴とする上記の液滴吐出装置。
【００１３】
この構成によれば、帯電部材カバーは、シート状の帯電部材の全面を覆うことができる。そのため、ユーザーがインクミストを吸着し汚れた帯電部材に直接触ることを防止できる。
【００１４】
（適用例５）前記複数のリブと交差する方向に、前記複数のリブより低い高さの第二のリブが形成されていることを特徴とする上記の液滴吐出装置。
【００１５】
この構成によれば、複数のリブの強度を確保することができる。
【００１６】
（適用例６）前記帯電部材は、前記開閉カバーに対して着脱自在に取り付けられていることを特徴とする上記の液滴吐出装置。
【００１７】
この構成によれば、インクミストを吸着して汚れた帯電部材を、新しい帯電部材と交換することができる。
【００１８】
（適用例７）前記帯電部材は、多孔質のエレクトレット体からなる帯電フィルターであることを特徴とする上記の液滴吐出装置。
【００１９】
この構成によれば、帯電部材として、多孔質のエレクトレット体からなる帯電フィルターを用いることができる。帯電フィルターとは、ポリプロピレンなどの熱可塑性樹脂を素材とする不織布などの多孔質の構造体をエレクトレット体から構成したものである。エレクトレット体とは、永久的分極を保持する誘電体である。すなわち、帯電部材として帯電フィルターを用いることにより、電力消費を伴わず、簡易な構成でインクミストを捕集できる。
【図面の簡単な説明】
【００２０】
【図１】本発明を適用したプリンターを前側から見た外観斜視図。
【図２】プリンターの内部構成を示す概略縦断面図。
【図３】外装ケースを外したプリンターをプリンター前方から見た斜視図。
【図４】第１実施形態に係る開閉カバーおよび帯電部材を説明する図。
【図５】第２実施形態に係る開閉カバーおよび帯電部材を説明する図。
【発明を実施するための形態】
【００２１】
以下、本発明を適用した液滴吐出装置として、インクジェットプリンターを例にとり図面を参照して説明する。インクジェットプリンターは、インク（液体）を、液滴吐出ヘッドとしてのインクジェットヘッドからインク滴（液滴）で吐出し、記録媒体としての印刷用紙に情報を印刷する。なお、以下の説明で参照する図面では、説明および図示の便宜上、部材ないし部分の縦横の縮尺を実際のものとは異なるように表す場合がある。
【００２２】
（プリンターの全体構成について）
まず、本発明を適用したインクジェットプリンター（以下、単に「プリンター」という）の全体構成について、図１を参照して説明する。図１は、本発明を適用したプリンターを前側から見た外観斜視図である。なお、図１に示すＸ方向は、印刷用紙の幅方向を示し、Ｙ方向は、印刷用紙の排出方向を示し、Ｚ方向は、Ｘ方向およびＹ方向と直交する方向を示す。
【００２３】
図１に示すように、プリンター１０は、プリンター本体部１２と反転ユニット１３とを備えている。プリンター本体部１２は、全体としてプリンター１０の幅方向（図中Ｘ方向）に長い直方体形状をしている。プリンター本体部１２の背面の中央部分には凹部１４が形成されており、ここに、反転ユニット１３が装着されている。反転ユニット１３は、シート状の記録媒体である印刷用紙Ｐ（図２参照）の表裏を反転させた状態で当該印刷用紙Ｐをプリンター本体部１２に戻すためのユニットである。
【００２４】
プリンター本体部１２には、給紙カセット装着部１５が設けられている。給紙カセット装着部１５は、プリンター本体部１２の前面におけるプリンター１０のＺ方向の下側部分において、プリンター１０のＹ方向前方に開口している。給紙カセット装着部１５には、Ｙ方向前方から給紙カセット１６が着脱可能に装着される。給紙カセット装着部１５のＺ方向上側には排紙トレイ１７が取り付けられている。排紙トレイ１７の前端部分はプリンター本体部１２からＹ方向前方に突出している。排紙トレイ１７のＺ方向上側には、Ｙ方向後方に延びる排紙口１８が形成されている。
【００２５】
プリンター本体部１２の筐体としての外装ケース２０は、排紙口１８の上側の前面部分に操作面１９ａを備えている。操作面１９ａには、電源スイッチや状態表示ランプ等が配列されている。外装ケース２０において、排紙トレイ１７および排紙口１８の両側のプリンター１０の前面部分には、排紙口１８を挟んで矩形の開閉扉１９ｂ，１９ｃが設けられている。これらの開閉扉１９ｂ，１９ｃを開けると、図示しないインクカートリッジ装着部が露出し、同じく図示しないインクカートリッジの交換等を行うことができる。
【００２６】
外装ケース２０におけるプリンターの上面２０ａ部分は、略平坦な面となっており、その中央部分には、後述するキャリッジ３７（図２および図３参照）が移動するキャリッジ移動領域Ｓ（図３参照）の一部が外部に露出する四角形形状の開口部２１が形成されている。この開口部２１には、開閉カバー６０が取り付けられている。
【００２７】
開閉カバー６０は、外装ケース２０のプリンターの上面２０ａに設けられた開口部２１を覆う大きさを有する長方形の板状に形成され、一方の長辺６０ａが開口部２１のＹ方向に設けられた辺２１ａに接合され、この部分を回動軸６３として矢印Ｍ方向に開閉自在となっている。通常、開閉カバー６０は、プリンター１０の印刷作業時には閉じられ、インクカートリッジ交換や紙ジャム等の不具合対応のときに開けられる。なお、開閉カバー６０の詳細については後述する。
【００２８】
（プリンターの内部構成について）
次いで、プリンターの内部構成について図２および図３を参照して説明する。図２は、プリンターの内部構成を示す概略縦断面図であり、図３は、外装ケースを外したプリンターをプリンター後方から見た斜視図である。図２および図３に示すＸ方向、Ｙ方向およびＺ方向は、図１に示すＸ方向、Ｙ方向およびＺ方向と同一な方向を示す。
【００２９】
図２に示すように、プリンター１０には、印刷用紙Ｐを搬送するための印刷用紙供給路２２、本体側搬送路２３および反転用搬送路２４が形成されている。印刷用紙供給路２２および本体側搬送路２３は、プリンター本体部１２の外装ケース２０の内側に形成されており、反転用搬送路２４は反転ユニット１３の内部に形成されている。
【００３０】
印刷用紙供給路２２は、給紙カセット１６に積層状態で収納されている所定寸法の印刷用紙Ｐを本体側搬送路２３に供給する搬送経路である。印刷用紙供給路２２および給紙カセット１６は本体側搬送路２３のＺ方向下側に配置されている。印刷用紙供給路２２は、給紙カセット装着部１５のＹ方向の後端部分から、プリンター１０の後方に向けて斜め上方に延び湾曲して、Ｙ方向に沿う本体側搬送路２３に繋がっている。給紙カセット１６に収納されている印刷用紙Ｐは、給紙ローラー２５によって印刷用紙供給路２２に送り出される。送り出された印刷用紙Ｐは、押えローラー２６と搬送ローラー２７のニップ部を介して１枚ずつ送り出され、搬送ローラー２７と従動ローラー２８のニップ部を介して、本体側搬送路２３に向けて搬送される。
【００３１】
本体側搬送路２３は、Ｙ方向に略水平に直線状に延びて排紙口１８に至る搬送経路である。本体側搬送路２３に沿って、印刷用紙Ｐの搬送方向の上流から下流に向かって順に、紙送りローラー対３１、後述する印刷機構３０、第１排紙ローラー対３３および第２排紙ローラー対３４が配置されている。ここで、印刷機構３０による印刷位置を印刷位置Ａとする。
【００３２】
搬送ローラー２７および従動ローラー２８、紙送りローラー対３１、第１排紙ローラー対３３および第２排紙ローラー対３４は、印刷用紙Ｐを本体側搬送路２３に沿って搬送する本体側搬送機構４１を構成している。本体側搬送機構４１は、給紙カセット１６のＸ方向に配置された搬送モーター４２により駆動される。本体側搬送機構４１は、搬送モーター４２の正方向への駆動によって印刷用紙ＰをＹ方向前方に向かって搬送し、搬送モーター４２の逆方向への駆動によって印刷用紙ＰをＹ方向後方に向かって搬送する。印刷機構３０による印刷は、印刷用紙Ｐが印刷位置ＡをＹ方向前方に向かって通過する際に行われる。
【００３３】
反転用搬送路２４は、本体側搬送路２３に対して、Ｚ方向の下側に配置されており、全体として、Ｚ方向にループを描く搬送経路である。反転用搬送路２４には、当該反転用搬送路２４に沿って印刷用紙Ｐを搬送する反転用搬送機構５０として、第１反転用搬送ローラー対５１と第２反転用搬送ローラー対５２が配置されている。反転用搬送機構５０は、反転用搬送路２４の内側に配置された反転用搬送モーター５３により駆動される。反転用搬送機構５０は、本体側搬送路２３から送りこまれる印刷用紙Ｐを反転用搬送路２４に沿って図２における時計回りに搬送する。印刷用紙Ｐは、反転用搬送路２４を経由することによって表裏が反転した状態となり、本体側搬送路２３に戻される。
【００３４】
ここで、印刷機構３０について説明する。図２および図３に示すように、印刷機構３０は、印刷ヘッド３２と、キャリッジ３７と、キャリッジ移動機構３９とを備える。印刷ヘッド３２は、液滴吐出ヘッドとしてのインクジェットヘッドであり、本体側搬送路２３の上方に位置している。本体側搬送路２３において印刷ヘッド３２に対向する印刷位置Ａにはプラテン３５が印刷ヘッド３２と所定のギャップを開けて配置されている。キャリッジ３７は、印刷ヘッド３２の図示しないインク吐出面が本体側搬送路２３に向かうように印刷ヘッド３２を搭載する。
【００３５】
キャリッジ移動機構３９は、Ｘ方向に延びているキャリッジガイド軸３８と、キャリッジモーター４０を備えている。キャリッジガイド軸３８の一方の端部は、Ｘ方向の一方側でＹ方向およびＺ方向上方に延びている第１側方フレーム４５に支持されている。第１側方フレーム４５は、本体側搬送路２３に対して所定の間隔を開けて配置されている。キャリッジガイド軸３８の他方の端部は、Ｘ方向の他方側で第１側方フレーム４５と平行に延びている第２側方フレーム４６に支持されている。第２側方フレーム４６は、本体側搬送路２３を挟んで第１側方フレーム４５と所定の間隔を開けて配置されている。
【００３６】
キャリッジ移動機構３９は第１側方フレーム４５の近傍と第２側方フレーム４６の近傍にそれぞれ配置された一対のプーリー４７と、これら一対のプーリー４７の間に架け渡されたタイミングベルト４８とを備えている。タイミングベルト４８はキャリッジガイド軸３８に沿って架け渡されている。タイミングベルト４８にはキャリッジ３７が接続されており、一対の内の一方のプーリー４７にはキャリッジモーター４０の駆動力が伝達される。従って、キャリッジモーター４０の駆動によりタイミングベルト４８が回転し、これにより、キャリッジ３７がキャリッジガイド軸３８に沿ってＸ方向に往復移動する。この区間が、印刷ヘッド３２およびキャリッジ３７のキャリッジ移動領域Ｓとなる。印刷ヘッド３２には図示しない可撓性のインク流路が接続され、インク流路を介して印刷ヘッド３２が図示しないインクカートリッジに接続されている。印刷ヘッド３２が移動するとき、インク流路は印刷ヘッド３２の動きに追従して変形する。
【００３７】
（プリンターの動作について）
プリンターの動作について、同じく図２および図３を参照して説明する。プリンター１０によって両面印刷が行われる際には、まず、給紙カセット１６に収納されている印刷用紙Ｐが給紙ローラー２５によって印刷用紙供給路２２に送り出される。また搬送モーター４２が正方向に駆動され、印刷用紙供給路２２に送り出された印刷用紙Ｐが押えローラー２６および搬送ローラー２７により搬送されて、本体側搬送路２３に送り出される。本体側搬送路２３に送り出された印刷用紙Ｐは、本体側搬送機構４１によってＹ方向前方に搬送され、印刷位置Ａを通過させられる。印刷位置Ａでは、印刷ヘッド３２をＸ方向に往復移動させながら、液滴としてのインク滴を吐出する印刷動作が印刷用紙Ｐの搬送動作に同期して行われる。これにより、印刷用紙Ｐの表面に所望の情報が印刷される。
【００３８】
印刷用紙Ｐの表面への印刷が終了すると、搬送モーター４２は逆方向に駆動される。また、反転用搬送モーター５３が駆動される。搬送モーター４２の駆動により、印刷用紙Ｐは、本体側搬送機構４１によってＹ方向後方に向かって搬送されて、本体側搬送路２３から反転用搬送路２４に送り込まれる。反転用搬送路２４に送り込まれた印刷用紙Ｐは、反転用搬送機構５０によって反転用搬送路２４に沿って搬送され、表裏が反転した状態で本体側搬送路２３に戻される。
【００３９】
本体側搬送路２３に戻された印刷用紙Ｐは、再び本体側搬送機構４１によってＹ方向前方に搬送され、印刷ヘッド３２による印刷位置Ａを通過させられる。印刷位置Ａでは、印刷ヘッド３２をＸ方向に往復移動させながらインク滴を吐出する印刷動作が印刷用紙Ｐの搬送動作に同期して行われる。これにより、印刷用紙Ｐの裏面に印刷が施される。印刷用紙Ｐの裏面への印刷が終了すると、本体側搬送機構４１は印刷用紙Ｐを更にＹ方向前方に搬送して、排紙口１８より排出する。
【００４０】
（第１実施形態）
（第１実施形態に係る開閉カバーおよび帯電部材について）
ここで、第１実施形態に係る開閉カバーおよび帯電部材について図１および図４を参照して説明する。図４は、第１実施形態に係る開閉カバーおよび帯電部材を説明する図であり、詳しくは、開閉カバーが閉状態にあるときにキャリッジ移動領域に対向する面を表す図である。図４に示すＸ方向、Ｙ方向およびＺ方向は、図１に示すＸ方向、Ｙ方向およびＺ方向と同一な方向を示す。
【００４１】
上述の印刷ヘッド３２としてインクジェットヘッドを搭載するプリンター１０（図２および図３参照）では、印刷動作時やフラッシング動作時に、印刷ヘッド３２から吐出されたインク滴の一部が印刷用紙Ｐに向かって飛ぶインク滴本体から分離して、印刷用紙Ｐに達するまでの間にインクミスト（微細なインク滴）となって外装ケース２０の内部を浮遊することがある。浮遊するインクミストは外装ケース２０内の部品に付着して、これらを汚してしまう。また、インクミストは印刷ヘッド３２の図示しないノズルプレートの帯電やプラテン３５の帯電に起因して電荷を帯びるので、センサー類や制御基板など電荷を帯びた部品に付着して、これらに不具合を発生させることもある。
【００４２】
発明者は、実験等の結果、帯電部材がインクミストの捕集に優れるという知見を得た。本発明は、その知見に基づくものである。帯電部材は、帯電フィルター８０とも呼ばれ市販されており、大気中の小さな塵の捕捉や除去を行うために用いられている。各帯電フィルター８０は、ポリプロピレンなどの熱可塑性樹脂を素材とする不織布などの多孔質の構造体をエレクトレット体から構成したものである。エレクトレット体とは永久的分極を保持する誘電体である。帯電フィルター８０は、その一方の面が吸着面８０ａとなっており、他方の面が取り付け面８０ｂとなっている。なお、以降の説明で、帯電部材としての帯電フィルター全般をいうときは帯電フィルター８０といい、個別の帯電フィルターをいうときは、例えば、第１帯電フィルター８１、第２帯電フィルター８２のように称する。
【００４３】
図１に示すように、第１実施形態に係る開閉カバー６０は、外装ケース２０の上面２０ａに設けられた開口部２１を覆う大きさを有する長方形の板状に形成され、一方の長辺６０ａが開口部２１のＹ方向に設けられた辺２１ａに接合され、この部分を回動軸６３として矢印Ｍ方向に開閉自在に取り付けられている。この開閉カバー６０は、閉じられた状態では、上述のキャリッジ移動領域Ｓの多くの領域を覆う。
【００４４】
図４に示すように、開閉カバー６０のキャリッジ移動領域Ｓに対向する面６１には、キャリッジ移動機構３９によるキャリッジ３７の移動方向、すなわちＸ方向に沿って所定の高さＨを有するリブ６２が設けられている。リブ６２は、Ｙ方向に所定のピッチＮを隔てて複数個設けられている。そして、リブ６２同士間には、例えば帯状に形成された第１帯電フィルター８１が吸着面８１ａを露出する方向で取り付けられている。第１帯電フィルター８１は、リブ６２間の面６１に対して取り付け面８１ｂが対向する姿勢で着脱自在に取り付けられている。なお、着脱自在な取り付け方法としては、接着剤で剥離可能に取り付けてもよいし、フック等の仮留め部材で着脱自在に取り付けてもよい。取り付け方法として、公知の着脱技術が適用可能である。
【００４５】
なお、Ｘ方向に沿うリブ６２間に、所定の間隔を隔ててリブ６２より低い高さを有する図示しない第２のリブを設けることも可能である。この場合は、第１帯電フィルター８１は、リブ６２と第２のリブに囲まれた大きさとなる。
【００４６】
上述の構成を有するプリンター１０は、印刷ヘッド３２のインク滴の吐出やキャリッジ３７の移動に伴い発生するインクミストを、開閉カバー６０のキャリッジ移動領域Ｓに対向する面６１に配置される帯状の第１帯電フィルター８１の吸着面８１ａに吸着する。インクミストを吸着して吸着面８１ａが汚れた第１帯電フィルター８１は、開閉カバー６０に設置される所定の高さＨを有する複数のリブ６２の間に配置されている。そのため、ユーザーが開閉カバー６０を開けてメンテナンス等の作業を実施したとしても、ユーザーの手や衣服等が汚れた帯電部材に直接触れることを低減させることができる。その結果、ユーザーが汚染されることを防止できる。
【００４７】
また、帯状の第１帯電フィルター８１は、開閉カバー６０の複数のリブ６２の間に着脱自在に取り付けられている。そのため、インクミストを吸着して汚れた第１帯電フィルター８１をその汚れ具合に応じて適宜新しい第１帯電フィルター８１と交換することができる。
【００４８】
（第２実施形態）
（第２実施形態に係る開閉カバーおよび帯電部材について）
ここで、第２実施形態に係る開閉カバーおよび帯電部材について図１および図５を参照して説明する。図５は、第２実施形態に係る開閉カバーおよび帯電部材を説明する図であり、詳しくは、開閉カバーが閉状態にあるときにキャリッジ移動領域に対向する面を表す分解斜視図である。なお、第１実施形態と同様な構成および内容については、符号を等しくして説明を省略する。また、図５に示すＸ方向、Ｙ方向およびＺ方向は、図１に示すＸ方向、Ｙ方向およびＺ方向と同一な方向を示す。
【００４９】
第２実施形態に係る開閉カバー７０も、図１に示す第１実施形態に係る開閉カバー６０と同様に外装ケース２０の上面２０ａに設けられた開口部２１を覆う大きさを有する長方形の板状に形成され、回動軸６３を回動中心として矢印Ｍ方向に開閉自在に取り付けられている。この開閉カバー７０も、閉じられた状態では、上述のキャリッジ移動領域Ｓの多くの領域を覆う。
【００５０】
図５に示すように、開閉カバー７０は、本体部７１と第２帯電フィルター８２と帯電部材カバー７３とを備える。本体部７１は、第１実施形態に係る開閉カバー６０とほぼ同様な構造を有し、基本的な開閉カバー７０として機能する。第２帯電フィルター８２は、長方形のシート状に形成され、取り付け面８２ｂを本体部７１と対峙させる方向で着脱自在に取り付けられている。そのため、第２帯電フィルター８２の吸着面８２ａは、開閉カバー７０が閉状態のときキャリッジ移動領域Ｓに対峙する。なお、着脱自在な取り付け方法としては、接着剤で剥離可能に取り付けてもよいし、フック等の仮留め部材で着脱自在に取り付けてもよい。取り付け方法として、公知の着脱技術が適用可能である。
【００５１】
帯電部材カバー７３は、例えばプラスチック等で樹脂成形され、第２帯電フィルター８２の吸着面８２ａを覆う大きさの長方形形状に形成される。帯電部材カバー７３は、長方形の長辺に沿って、所定の高さＨを有するリブ７５が設けられている。リブ７５は、短辺方向に所定のピッチＮを隔てて複数個設けられている。そして、リブ７５の間には、長方形形状に貫通する角穴７７が各々形成されている。
【００５２】
帯電部材カバー７３は、複数のリブ７５がキャリッジ移動機構３９によるキャリッジ３７の移動方向、すなわちＸ方向に沿う姿勢で第２帯電フィルター８２を介して本体部７１に着脱自在に取り付けられる。なお、着脱自在な取り付け方法としては、フック等の仮留め部材で着脱自在に取り付けてもよい。取り付け方法として、公知の着脱技術が適用可能である。
【００５３】
上述の構成を有するプリンター１０は、印刷ヘッド３２のインク滴の吐出やキャリッジ３７の移動に伴い発生するインクミストを、開閉カバー７０（本体部７１）に取り付けられた帯電部材カバー７３の長方形形状の角穴７７から露出する第２帯電フィルター８２の吸着面８２ａに吸着することができる。インクミストを吸着して吸着面８２ａが汚れた第２帯電フィルター８２は、帯電部材カバー７３に設置される所定の高さＨを有する複数のリブ７５の間に配置されている。そのため、ユーザーが開閉カバー７０を開けてメンテナンス等の作業を実施したとしても、ユーザーの手や衣服等が汚れた帯電部材に直接触れることを低減させることができる。その結果、ユーザーが汚染されることを防止できる。
【００５４】
また、帯電部材カバー７３は、開閉カバー７０の本体部７１に着脱自在に取り付けられている。そのため、帯電部材カバー７３を取り外すことによって、インクミストを吸着して汚れた第２帯電フィルター８２を新しい第２帯電フィルター８２と交換することができる。また、インクミストが付着して汚れた帯電部材カバー７３を容易に清掃することができる。
【符号の説明】
【００５５】
１０…液滴吐出装置としてのプリンター、１２…プリンター本体部、１７…排紙トレイ、１８…排紙口、２０…外装ケース、２１…開口部、２３…本体側搬送路、３０…印刷機構、３２…液滴吐出ヘッドとしての印刷ヘッド、３７…キャリッジ、３９…キャリッジ移動機構、６０，７０…開閉カバー、６３…回動軸、６２，７５…リブ、７１…本体部、７３…帯電部材カバー、７７…角穴、８０…帯電部材としての帯電フィルター、８１…第１帯電フィルター、８２…第２帯電フィルター、Ａ…印刷位置、Ｐ…記録媒体としての印刷用紙、Ｓ…キャリッジ移動領域。
【図１】
2015080927.tif 000003
【図２】
2015080927.tif 000004
【図３】
2015080927.tif 000005
【図４】
2015080927.tif 000006
【図５】
2015080927.tif 000007